(57)【要約】【課題】補正による画質向上効果を確実に伝達すること。【解決手段】表示画面３０７と、画像データの中から表示指示があった画像データを取得する取得部３０３と、取得された画像データを、あらかじめ定められた所定の条件にしたがって補正する補正部３０４と、表示画面３０７を制御して、画像データに基づく画像を表示する表示制御部３０６と、を備えた情報処理装置１００において、取得部３０３によって取得された画像データを用いた画像を所定時間表示した後に、補正部３０４によって補正された画像データを用いて画像を表示するようにした。補正に際しては、少なくとも特定のインクおよび媒体を用いた特定のプリンタから出力することを想定して定められた色補正条件にしたがって補正し、かつ表示画面３０７の色空間に合わせた色補正をおこなう。【選択図】図３
2008077568.tif 000002
【特許請求の範囲】
【請求項１】
表示画面を備え、当該表示画面を制御して、画像データに基づく画像を表示する表示制御手段を備えた電子機器において、
前記画像データの中から表示指示があった画像データを取得する取得手段と、
前記取得手段によって取得された画像データを、あらかじめ定められた所定の条件にしたがって補正する補正手段と、
を備え、
前記補正手段は、前記取得手段によって取得された画像データを、前記表示画面に表示することを想定して定められた色補正条件にしたがって補正し、
前記表示制御手段は、前記取得手段によって取得された画像データを用いた画像を所定時間表示した後に、前記補正手段によって補正された画像データを用いて画像を表示することを特徴とする電子機器。
【請求項２】
プリンタドライバを備えず、表示画面を備え、当該表示画面を制御して、画像データに基づく画像を表示する表示制御手段を備えた電子機器において、
前記画像データの中から表示指示があった画像データを取得する取得手段と、
前記取得手段によって取得された画像データを、あらかじめ定められた所定の条件にしたがって補正する補正手段と、
を備え、
前記補正手段は、前記取得手段によって取得された画像データを、少なくとも特定のインクおよび媒体を用いた特定のプリンタから出力することを想定して定められた色補正条件にしたがって補正し、かつ前記表示画面の色空間に色補正し、
前記表示制御手段は、前記取得手段によって取得された画像データを用いた画像を所定時間表示した後に、前記補正手段によって補正された画像データを用いて画像を表示することを特徴とする電子機器。
【請求項３】
前記補正手段は前記特定のプリンタから出力する想定を複数備え、利用者の指示入力を受けた前記特定のプリンタから出力することを想定した前記色補正条件に従って補正することを特徴とする請求項２に記載の電子機器。
【請求項４】
前記補正手段によって補正された画像データを記憶する第１の記憶手段を備え、
前記取得手段は、少なくとも前記表示画面に表示中の画像に前後して表示可能な画像の画像データを取得し、
前記補正手段は、前記取得手段で取得した前記少なくとも前記表示画面に表示中の画像に前後して表示可能な画像を表示に先立って予め補正をおこない、
前記表示制御手段は、前記取得手段によって取得された画像データを用いた画像を所定時間表示した後に、前記記憶手段によって記憶された画像データを用いて画像を表示することを特徴とする請求項１〜３のいずれか一つに記載の電子機器。
【請求項５】
前記表示制御手段は、前記取得手段によって取得された画像データを用いた画像の中で前記表示画面に既に表示した画像に関しては、第２の記憶手段に記憶し、利用者により再表示の指示を受けて、前記所定時間よりも短い時間表示した後に、前記補正手段によって補正された画像データを用いて画像を再表示することを特徴とする請求項１〜４のいずれか一つに記載の電子機器。
【発明の詳細な説明】
【技術分野】
【０００１】
この発明は、電子機器に関する。
【背景技術】
【０００２】
従来、たとえば、デジタルカメラなどを用いて撮像した画像を表示する表示画面を備える電子機器があった。このような電子機器には、撮像時の元画像に対して補正をおこなった画像を、表示画面に表示するようにしたものがあった。具体的には、たとえば、元画像に対する補正をおこなう補正モードが指定されている場合におこなわれ、補正モードが指定されている場合には指定された画像を補正してから表示するようにした技術があった。
【０００３】
たとえば、スキャナからの画像データを記憶する記憶装置と、記憶装置に記憶されている画像データを表示する表示パネルと，任意の編集情報を入力する編集情報入力部と、編集情報入力部により入力された編集情報に基づいて、記憶装置に記憶されている画像データの編集加工を実行し、記憶装置に記憶する編集処理部と、表示パネルに出力された編集後の画像が確定された後、プリンタにより画像記録を実行させる制御部と、を具備するデジタルカラー複写機があった（たとえば、下記特許文献１を参照。）。
【０００４】
【特許文献１】特開平８−３１７２３７号公報
【発明の開示】
【発明が解決しようとする課題】
【０００５】
しかしながら、上述した従来の技術では、元画像に対して、補正後の画像がどのように補正され、どの程度画質が向上したのかが分かりづらいという問題があった。また、単に編集結果を表示するだけでは、実際の補正結果および印刷結果とは異なる色合いとなってしまい、実際の補正結果および印刷結果を確認することができないという問題があった。特に、デジタルカメラとともに記録装置を携帯している利用者からは、デジタルカメラによって撮影した画像の補正結果および印刷結果を、撮影後にすぐに確認し、再撮影の要否を判断したいという要望があるが現状は対応し切れていないという問題があった。
【課題を解決するための手段】
【０００６】
この発明にかかる電子機器は、表示画面を備え、当該表示画面を制御して、画像データに基づく画像を表示する表示制御手段を備えた電子機器において、前記画像データの中から表示指示があった画像データを取得する取得手段と、前記取得手段によって取得された画像データを、あらかじめ定められた所定の条件にしたがって補正する補正手段と、を備え、前記補正手段は、前記取得手段によって取得された画像データを、前記表示画面に表示することを想定して定められた色補正条件にしたがって補正し、前記表示制御手段は、前記取得手段によって取得された画像データを用いた画像を所定時間表示した後に、前記補正手段によって補正された画像データを用いて画像を表示することを特徴とする。
【０００７】
この発明によれば、補正前の画像を表示した後に補正後の画像を表示することで、補正前の画像と補正後の画像との差異を明確化することができる。これによって電子機器は、補正による画質向上効果を確実に伝達することができる。そして、これによって電子機器の利用者は、補正による画質向上効果を確実に実感することができる。
【０００８】
また、この発明によれば、補正前の画像を表示した後に、表示画面において高画質になるように補正した画像を表示することで、補正前の画像と補正後の画像とを差異を一層明確化することができる。これによって電子機器は、補正後の画像を表示画面を介して伝達する場合に、補正による画質向上効果を確実に伝達することができる。そして、これによって電子機器の利用者は、補正後の画像を表示画面を介して確認する場合に、補正による画質向上効果を確実に実感することができる。
【０００９】
また、この発明にかかる電子機器は、プリンタドライバを備えず、表示画面を備え、当該表示画面を制御して、画像データに基づく画像を表示する表示制御手段を備えた電子機器において、前記画像データの中から表示指示があった画像データを取得する取得手段と、前記取得手段によって取得された画像データを、あらかじめ定められた所定の条件にしたがって補正する補正手段と、を備え、前記補正手段は、前記取得手段によって取得された画像データを、少なくとも特定のインクおよび媒体を用いた特定のプリンタから出力することを想定して定められた色補正条件にしたがって補正し、かつ前記表示画面の色空間に色補正し、前記表示制御手段は、前記取得手段によって取得された画像データを用いた画像を所定時間表示した後に、前記補正手段によって補正された画像データを用いて画像を表示することを特徴とする。
【００１０】
この発明によれば、補正前の画像を表示した後に補正後の画像を表示することで、補正前の画像と補正後の画像との差異を明確化することができる。これによって電子機器は、補正による画質向上効果を確実に伝達することができる。そして、これによって電子機器の利用者は、補正による画質向上効果を確実に実感することができる。
【００１１】
また、この発明によれば、補正前の画像を表示した後に、最終的な出力結果において高画質になるように補正することで、補正前の画像と補正後の最終的な出力結果としての画像との差異を一層明確化することができる。これによって電子機器は、特定のプリンタからの出力結果が最終的な出力結果として要求されている場合に、最終的な出力結果における、補正による画質向上効果を確実に伝達することができる。そして、これによって電子機器の利用者は、特定のプリンタからの出力結果を最終的な出力結果として要求している場合に、補正による画質向上効果を確実に実感することができる。
【００１２】
また、この発明にかかる電子機器における前記補正手段は前記特定のプリンタから出力する想定を複数備え、利用者の指示入力を受けた前記特定のプリンタから出力することを想定した前記色補正条件に従って補正することを特徴とする。
【００１３】
この発明によれば、電子機器に接続されたプリンタに応じて、当該プリンタのケーパビリティに適した補正値にしたがって、最終的な出力結果において高画質になるように補正することで、補正前の画像と補正後の最終的な出力結果としての画像との差異を一層明確化することができる。これによって電子機器は、特定のプリンタからの出力結果が最終的な出力結果として要求されている場合に、最終的な出力結果における、補正による画質向上効果を一層効果的に伝達することができる。そして、これによって電子機器の利用者は、特定のプリンタからの出力結果を最終的な出力結果として要求している場合に、補正によるプリンタの機種ごとの画質向上効果を確実に実感することができる。
【００１４】
また、この発明にかかる電子機器は、前記補正手段によって補正された画像データを記憶する記憶手段を備え、前記取得手段は、少なくとも前記表示画面に表示中の画像に前後して表示可能な画像の画像データを取得し、前記補正手段は、前記取得手段で取得した前記少なくとも前記表示画面に表示中の画像に前後して表示可能な画像を表示に先立って予め補正をおこない、前記表示制御手段は、前記取得手段によって取得された画像データを用いた画像を所定時間表示した後に、前記記憶手段によって記憶された画像データを用いて画像を表示することを特徴とする。
【００１５】
この発明によれば、表示画面に表示中の画像に前後して表示可能な画像（以下、「前後画像」という）が補正に時間を要する画像である場合にも、表示指示があってから補正を開始する場合と比較して、表示画面に補正前の前後画像を表示してから当該画像を補正した画像が表示可能となるまでの時間を短くすることができる。
【００１６】
これによって電子機器は、画像ごとに補正に要する時間が異なる場合にも、常に最適なタイミングで、補正による画質向上効果を確実に伝達することができる。そして、これによって電子機器の利用者は、画像の違いに拘わらず、補正による画質向上効果を確実に実感することができる。
【００１７】
また、この発明にかかる電子機器における前記表示制御手段は、前記取得手段によって取得された画像データを用いた画像の中で前記表示画面に既に表示した画像に関しては、第２の記憶手段に記憶し、利用者により再表示の指示を受けて、前記所定時間よりも短い時間表示した後に、前記補正手段によって補正された画像データを用いて画像を表示することを特徴とする。
【００１８】
この発明によれば、利用者による再表示の指示によって２回目以降に表示する画像であれば補正前の画像を表示する時間を短縮することができる。これによって電子機器は、補正による画質向上効果を確実に伝達するとともに、画像確認に要する時間短縮を図ることができる。そして、これによって電子機器の利用者は、補正による画質向上効果を確実に実感するとともに、補正後の画像確認作業を効率よくおこなうことができる。
【発明を実施するための最良の形態】
【００１９】
以下に添付図面を参照して、この発明にかかる電子機器の好適な実施の形態を詳細に説明する。この実施の形態では、この発明にかかる電子機器を情報処理装置に適用した例である。
【００２０】
（情報処理装置の外観）
図１−１および図１−２は、この発明の実施の形態にかかる情報処理装置の外観を示す説明図である。図１−１は情報処理装置の上面図を示しており、図１−２は情報処理装置の正面図を示している。図１−１に示したように、情報処理装置１００は、ＳＤメモリーカードスロット１０１、ＣＦカードスロット１０２、およびＣＦカードイジェクトボタン１０３を備えている。ＳＤメモリーカードスロット１０１には、ＳＤメモリーカード（登録商標）・ＭＭＣ（マルチメディアカード）などが挿入される。
【００２１】
ＣＦカードスロット１０２には、ＣＦカード・マイクロドライブが挿入される。ＣＦカードイジェクトボタン１０３は、ＣＦカードスロット１０２に挿入されたＣＦカードを取り出すときに押下される。ＣＦカードイジェクトボタン１０３が押下された場合には、ＣＦカードスロット１０２に挿入されたＣＦカードが、情報処理装置１００の外部へ排出される。図１−１中図示を省略するが、情報処理装置１００は、ＵＳＢコネクタを備えている。ＵＳＢコネクタには、たとえば、ＵＳＢケーブルを介してプリンタが接続される。
【００２２】
図１−２に示したように、情報処理装置１００は、高精細液晶ディスプレイ１０４、および各種操作キー１０５〜１１１を備えている。高精細液晶ディスプレイ１０４は、操作画面や画像データを表示する。高精細液晶ディスプレイ１０４としては、具体的には、たとえば４．１型の高精細液晶ディスプレイを使用することができる。各種操作キー１０５〜１１１のうち、図１−２中符号１０５は、「Ｐｒｉｎｔ」ボタンを示している。「Ｐｒｉｎｔ」ボタン１０５が印刷可能な画面で押下された場合、高精細液晶ディスプレイ１０４には印刷設定画面が表示される。
【００２３】
各種操作キー１０５〜１１１のうち、図１−２中符号１０６は、「Ｍｅｎｕ」ボタンを示している。「Ｍｅｎｕ」ボタン１０６が押下された場合、高精細液晶ディスプレイ１０４には、「Ｍｅｎｕ」ボタン１０６が押下された時点で実行可能な操作項目が、ポップアップメニューなどで表示される。各種操作キー１０５〜１１１のうち、図１−２中符号１０７は、「↑↓←→」キー（４−Ｗａｙリング）を示している。４−Ｗａｙリング１０７の押下によって任意の項目を選択させることができる。
【００２４】
各種操作キー１０５〜１１１のうち、図１−２中符号１０８は「ＯＫ」ボタンを示している。４−Ｗａｙリング１０７の押下によって選択された項目は、「ＯＫ」ボタン１０８の押下によって確定される。図示を省略するが、たとえば、「プリント」ボタンが選択された状態で「ＯＫ」ボタン１０８が押下された場合、プリント出力処理に関する処理が開始される。各種操作キー１０５〜１１１のうち、図１−２中符号１０９は「Ｃａｎｃｅｌ」ボタンを示している。「Ｃａｎｃｅｌ」ボタン１０９が押下された場合、「Ｃａｎｃｅｌ」ボタン１０９が押下された時点で実行中の操作が中止され、一つ前の画面が表示される。
【００２５】
各種操作キー１０５〜１１１のうち、図１−２中符号１１０は「Ｄｉｓｐｌａｙ」ボタンを示している。「Ｄｉｓｐｌａｙ」ボタン１１０が押下された場合、高精細液晶ディスプレイ１０４には、操作説明や画面の情報が表示される。各種操作キー１０５〜１１１のうち、図１−２中符号１１１は「Ｈｏｍｅ」ボタンを示している。「Ｈｏｍｅ」ボタン１１１が押下された場合、「Ｈｏｍｅ」ボタン１１１が押下された時点で実行中の操作が中止され、「ホーム画面（初期メニュー画面）」が表示される。
【００２６】
（情報処理装置のハードウエア構成）
図２は、この実施の形態にかかる情報処理装置１００のハードウエア構成図である。図２において、情報処理装置１００は、ＣＰＵ２０１と、メモリ２０２と、メモリコントローラ２０３と、ＨＤＤ（ハードディスクドライブ）２０４と、ＡＴＡ  Ｉ／Ｆ（インターフェース）２０５と、入力デバイス２０６と、汎用入出力制御ユニット２０７と、ビデオＩ／Ｆ（インターフェース）２０８と、ビデオデコーダ２０９と、ＬＥＤ（Ｌｉｇｈｔ  Ｅｍｉｔｔｉｍｇ  Ｄｉｏｄｅ）２１０と、上述した高精細液晶ディスプレイ１０４と、オーディオＩ／Ｆ（インターフェース）２１１と、オーディオデコーダ２１２と、スピーカ２１３と、ヘッドフォン２１４と、電源制御ユニット２１５と、バッテリ２１６と、を備えている。情報処理装置１００が備える各部２０１〜２１６は、それぞれバス２１７によって接続される。
【００２７】
ＣＰＵ２０１は、メモリ２０２、ＨＤＤ２０４などに記憶されたプログラムを実行することによって、情報処理装置１００全体を制御する。メモリ２０２は、情報処理装置１００の基本処理プログラムなどを記憶している。メモリ２０２としては、たとえばＲＯＭ（Ｒｅａｄ  Ｏｎｌｙ  Ｍｅｍｏｒｙ）やＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）が用いられる。また、メモリコントローラ２０３は、ＣＰＵ２０１の制御にしたがって、メモリ２０２に対するデータの読み取り／書き込みを制御する。
【００２８】
ＨＤＤ２０４は、画像データや、制御プログラムなどの各種情報を記憶する。ＨＤＤ２０４の代わりにあるいはＨＤＤ２０４に加えて、ＤＶＤ、コンパクトディスク（ＣＤ）などの着脱可能な記憶媒体による記憶装置であってもよい。また、ＨＤＤ２０４はＡＴＡ  Ｉ／Ｆ２０５によって、ＣＰＵ２０１と接続されており、このＡＴＡ  Ｉ／Ｆ２０５により、ＨＤＤ２０４に格納されているデータの読み出しおよび書き込みをおこなう。
【００２９】
入力デバイス２０６は、文字、数値、各種指示などの入力のための、たとえば図１−２に示すような各種ボタンによって構成されている。また、汎用入出力制御ユニット２０７は、入力デバイス２０６からの入出力を制御する。
【００３０】
ビデオＩ／Ｆ２０８は、ビデオデコーダ２０９を介して、上述した高精細液晶ディスプレイ１０４と接続される。このビデオＩ／Ｆ２０８は、たとえば、高精細液晶ディスプレイ１０４の全体の制御をおこなうグラフィックコントローラと、即時表示可能な画像情報を一時的に記録するＶＲＡＭ（Ｖｉｄｅｏ  ＲＡＭ）などのバッファメモリと、高精細液晶ディスプレイ１０４を表示制御する制御ＩＣなどによって構成される。具体的には、ビデオＩ／Ｆ２０８は、グラフィックコントローラから出力された画像データをビデオデコーダ２０９によって復号化し、その復号化した画像データに基づいて、高精細液晶ディスプレイ１０４を表示制御する。ＬＥＤ２１０は、点灯または点滅することによって、利用者に情報処理装置１００の状態あるいは利用者へ所定の情報（たとえば警告情報など）を告知する。
【００３１】
オーディオＩ／Ｆ２１１は、オーディオデコーダ２１２を介してスピーカ２１３およびヘッドフォン２１４に接続される。具体的には、オーディオＩ／Ｆ２１１から出力された音声データをオーディオデコーダ２１２によって復号化し、スピーカ２１３およびヘッドフォン２１４から音声出力する。
【００３２】
電源制御ユニット２１５は、利用者によって情報処理装置１００の電源がＯＮにされた際に、バッテリ２１６からの電力を各構成部に供給する。また、利用者によって情報処理装置１００の電源がＯＦＦにされた際には、各構成部に対する電力の供給を終了する。加えて、図示を省略するが、情報処理装置１００は、ＵＳＢコネクタに接続されたプリンタとの間で通信をおこなう通信Ｉ／Ｆを備えている。
【００３３】
（情報処理装置の機能的構成）
図３は、この発明の実施の形態にかかる情報処理装置１００の機能的構成を示すブロック図である。図３に示したように、情報処理装置１００は、記憶装置３０１と、指示受付部３０２と、取得部３０３と、補正部３０４と、記憶部３０５と、表示制御部３０６と、表示画面３０７と、を備えている。実施の形態においては、上述した高精細液晶ディスプレイ１０４によって表示画面３０７が実現されている。
【００３４】
記憶装置３０１は、デジタルカメラなどの撮像装置が撮像した画像データを記憶する。具体的に、記憶装置３０１は、たとえば、上述した図２に示したＨＤＤ２０４などによって実現される。指示受付部３０２は、記憶装置３０１に記憶された画像データの中から任意の画像の表示指示を受け付ける。指示受付部３０２は、たとえば、上述した４−Ｗａｙリング１０７や「ＯＫ」ボタン１０８などによって実現される。
【００３５】
取得部３０３は、記憶装置３０１に記憶された画像データの中から、指示受付部３０２によって表示指示を受け付けた画像を表示するための画像データを取得する。また、取得部３０３は、少なくとも表示画面３０７に表示中の画像に前後して表示可能な画像の画像データを取得してもよい。
【００３６】
補正部３０４は、取得部３０３によって取得された画像データを、あらかじめ定められた所定の条件にしたがって補正する。上述したように、取得部３０３によって少なくとも表示画面３０７に表示中の画像に前後して表示可能な画像の画像データが取得された場合、補正部３０４は、取得部３０３によって取得されたすべての画像データを補正する。
【００３７】
具体的に、補正部３０４は、たとえば、取得部３０３によって取得された画像データを、表示画面３０７に表示することを想定して定められた条件にしたがって補正する。この場合、補正部３０４は、表示画面３０７の表示特性に応じて、表示画面３０７において最適な画質の画像が表示されるように定められた条件にしたがって補正する。
【００３８】
また、具体的に、補正部３０４は、たとえば、取得部３０３によって取得された画像データを、特定のプリンタから出力することを想定して定められた条件にしたがって補正してもよい。この場合、補正部３０４は、特定のプリンタの性能や当該プリンタで使用するインクの色や種類に応じて、当該インクに適した用紙にプリント出力した場合に、最適な画質の画像がプリント出力されるように定められた条件にしたがって補正する。
【００３９】
記憶部３０５は、補正部３０４によって補正された画像データを記憶する。上述した取得部３０３によって、少なくとも表示画面３０７に表示中の画像に前後して表示可能な画像の画像データが取得された場合、記憶部３０５は、表示画面３０７に表示中の画像および当該画像に前後して表示可能な画像の画像データを補正した後の画像データを記憶する。
【００４０】
表示制御部３０６は、表示画面３０７を制御して、取得部３０３によって取得された画像データを用いた画像を所定時間表示した後に、補正部３０４によって補正された画像データを用いて画像を表示する。ここで、所定時間とは、たとえば「３秒」などのように情報処理装置１００の製造時などに任意に設定される時間であって、電子機器の利用者に対して、取得部３０３によって取得された画像データを用いた画像の概要を伝達することができる時間である。
【００４１】
また、表示制御部３０６は、取得部３０３によって取得された画像データを用いた画像を所定時間表示した後に、記憶部３０５によって記憶された画像データを用いて画像を表示するようにしてもよい。さらに、表示制御部３０６は、取得部３０３によって取得された画像データを用いた画像の中で表示画面３０７に既に表示した画像に関しては、上述した所定時間よりも短い時間表示した後に、補正部３０４によって補正された画像データを用いて画像を表示するようにしてもよい。
【００４２】
（情報処理装置の処理手順）
図４は、この発明の実施の形態にかかる情報処理装置１００の処理手順を示すフローチャートである。つぎに、図４を用いて、この発明の実施の形態にかかる情報処理装置１００の処理手順について説明する。図４のフローチャートにおいて、まず、４−Ｗａｙリング１０７や「ＯＫ」ボタン１０８などの操作によって特定の画像を表示する指示操作（以下、「表示指示」という）があるまで待つ（ステップＳ４０１）。
【００４３】
ステップＳ４０１において、表示指示があった場合（ステップＳ４０１：Ｙｅｓ）には、取得部３０３によって該当する画像データを取得し（ステップＳ４０２）、取得された画像データを補正部３０４によって補正する（ステップＳ４０３）とともに、取得された画像データを用いて補正前の画像を表示する（ステップＳ４０４）。
【００４４】
ステップＳ４０３においては、たとえば、画像を見る人に対して違和感を覚えさせることなく人間の肌の色を自然に表現し、かつ、画像全体を良好なカラーバランスとする補正をおこなう。このような補正に関する技術は、公知の技術であるためここでは説明を省略する（たとえば、特開２００２−４４４６９号公報，特開２００１−３２０７２７号公報を参照。）。
【００４５】
また、ステップＳ４０３においては、たとえば、画像内における人間の肌を表す画素を含む肌色領域に含まれる画素の色相および彩度を代表する代表値と、人間の肌の理想的な色相および彩度を表す値として設定された理想値と、の差分を算出し、算出された差分に低減係数を乗じた標準補正量に基づいて設定された実行補正量を用いて、画像に対するカラーバランス補正をおこなう際に、低減係数の値を代表値に応じて可変に設定することで、画像の撮像時における光源の種類などの撮像条件によって生じる画像の色かぶりに応じたカラーバランス補正をおこなってもよい（たとえば、特願２００５−０７４３２３号を参照。）。この技術によれば、画像を見る人に対して違和感を覚えさせることなく人間の肌の色を一層自然に表現し、かつ、画像全体を一層良好なカラーバランスとする補正をおこなうことができる。
【００４６】
また、ステップＳ４０３においては、たとえば、カラーバランス補正をおこなった画像に対して、画像に関連付けられているソースプロファイルと、高精細液晶ディスプレイ１０４のターゲットプロファイルと、を用いたカラーマネージメントをおこなう。カラーマネージメントとは、カラーバランス補正をおこなった画像が、高精細液晶ディスプレイ１０４に表示された状態おいてカラーバランスが良好な画像となるように、高精細液晶ディスプレイ１０４の色空間にしたがって、カラーバランス補正をおこなった画像に対しておこなう画像処理である。高精細液晶ディスプレイ１０４の色空間を使用したカラーマネージメントをおこなうことで、高精細液晶ディスプレイ１０４に表示される画像の再現域を広くすることができる。
【００４７】
つづいて、ステップＳ４０４において補正前の画像を表示してから所定時間が経過するまで待って（ステップＳ４０５：Ｎｏ）、所定時間が経過した場合（ステップＳ４０５：Ｙｅｓ）には、ステップＳ４０３において補正された画像データを用いて補正後の画像を表示する（ステップＳ４０６）とともに、補正後の画像データを記憶部３０５によって記憶する（ステップＳ４０７）。
【００４８】
ステップＳ４０６においては、上述したステップＳ４０３における補正がおこなわれているため、人物の顔が含まれる画像など、画像における良好なカラーバランスの確保が要求されがちな画像が補正対象となる場合にも、当該画像を見る人に対して違和感を覚えさせることなく人間の肌の色を自然に表現し、かつ、画像全体が良好なカラーバランスとされた画像を表示することができる。
【００４９】
つづいて、次に表示する画像（以下、「次画像」という）を指定する表示指示があったか否かを判断し（ステップＳ４０８）、表示指示があった場合（ステップＳ４０８：Ｙｅｓ）には、表示画面３０７に既に表示した画像（以下、「既表示画像」という）であるか否かを判断する（ステップＳ４０９）。既表示画像ではない場合（ステップＳ４０９：Ｎｏ）には、ステップＳ４０２へ戻る。既表示画像である場合（ステップＳ４０９：Ｙｅｓ）には、ステップＳ４０７において記憶された画像データを取得し（ステップＳ４１０）、ステップＳ４０６へ戻る。
【００５０】
この場合、補正前の画像は表示されず、補正後の画像が表示されることになるので、画像データを補正するために要する時間を省き、補正後の画像を表示するために毎回画像データを補正する場合と比較して、補正後の画像を表示するまでの時間短縮を図ることができる。
【００５１】
一方、ステップＳ４０８において、次画像の表示指示がない場合（ステップＳ４０８：Ｎｏ）には、４−Ｗａｙリング１０７や「ＯＫ」ボタン１０８などの操作によって、画像の表示を終了する終了指示があったか否かを判断し（ステップＳ４１１）、終了指示操作があった場合（ステップＳ４１１：Ｙｅｓ）には、一連の処理を終了する。
【００５２】
ステップＳ４１１において、終了指示操作がない場合（ステップＳ４１１：Ｎｏ）には、補正後の画像を表示してから所定時間が経過したか否かを判断し（ステップＳ４１２）、所定時間が経過していない場合（ステップＳ４１２：Ｎｏ）には、ステップＳ４０８に戻る。一方、所定時間が経過した場合（ステップＳ４１２：Ｙｅｓ）には、一連の処理を終了する。
【００５３】
（表示画面の一例）
図５は、情報処理装置１００における表示画面の一例を示す説明図である。図５中符号５１０は上述した図４のステップＳ４０４において表示され、補正前の画像データを用いて表示される表示画面を示している。また、図５中符号５２０は上述した図４のステップＳ４０６において表示され、補正後の画像データを用いて表示される表示画面を示している。表示画面５１０，５２０においては、ともに、自然風景を背景にした２人の人物を撮影した画像が表示されている。
【００５４】
表示画面５１０においては、人物５１１，５１２がシルエットの状態で表示されている。表示画面５１０に表示された画像（元画像）は、逆光の状態で撮像したために背景５１３に露出が合わされたため、人物５１１，５１２がシルエットの状態で表示されている。
【００５５】
これに対し、表示画面５２０においては、順光の状態で撮像した場合と同等程度に明るくなるように補正された人物５２１，５２２が表示されている。表示画面５２０においては、背景５２３に合わされた露出はそのままに、人物５２１，５２２のみが補正された状態で表示されている。
【００５６】
上述したように、実施の形態の情報処理装置１００によれば、補正前の画像を表示した後に補正後の画像を表示することで、補正前の画像と補正後の画像との差異を明確化することができる。これによって情報処理装置１００は、補正による画質向上効果を確実に伝達することができる。そして、これによって情報処理装置１００の利用者は、補正による画質向上効果を確実に実感することができる。
【００５７】
また、実施の形態の情報処理装置１００によれば、補正前の画像を表示した後に、高精細液晶ディスプレイ１０４において高画質になるように補正した画像を表示することで、補正前の画像と補正後の画像との差異を一層明確化することができる。これによって情報処理装置１００は、補正後の画像を高精細液晶ディスプレイ１０４を介して伝達する場合に、補正による画質向上効果を確実に伝達することができる。そして、これによって情報処理装置１００の利用者は、補正後の画像を表示画面を介して確認する場合に、補正による画質向上効果を確実に実感することができる。
【００５８】
また、実施の形態の情報処理装置１００によれば、高精細液晶ディスプレイ１０４に表示中の画像に前後して表示可能な画像（以下、「前後画像」という）が補正に時間を要する画像である場合にも、表示指示があってから補正を開始する場合と比較して、高精細液晶ディスプレイ１０４に補正前の前後画像を表示してから当該画像を補正した画像が表示可能となるまでの時間を短くすることができる。
【００５９】
これによって情報処理装置１００は、画像ごとに補正に要する時間が異なる場合にも、常に最適なタイミングで、補正による画質向上効果を確実に伝達することができる。そして、これによって情報処理装置１００の利用者は、画像の違いに拘わらず、補正による画質向上効果を確実に実感することができる。
【００６０】
また、実施の形態の情報処理装置１００によれば、表示指示を受け付けた次画像が既表示画像である場合には、補正前の画像を表示せずに、補正後の画像を表示することで、２回目以降に表示する画像であれば補正前の画像を表示する時間を短縮することができる。これによって情報処理装置１００は、補正による画質向上効果を確実に伝達するとともに、画像確認に要する時間短縮を図ることができる。そして、これによって情報処理装置１００の利用者は、補正による画質向上効果を確実に実感するとともに、補正後の画像確認作業を効率よくおこなうことができる。
【００６１】
なお、上述した図４に示した処理手順においては、表示指示を受け付けた次画像が既表示画像である場合には、補正前の画像を表示せずに、補正後の画像を表示するようにしたが、これにかぎるものではない。たとえば、補正前の画像をはじめて表示する場合よりも短い時間表示してから、記憶された補正後の画像データを用いて補正後の画像を表示するようにしてもよい。これによって、補正後の画像を表示するために毎回画像データを補正する場合と比較して、補正後の画像を表示するまでの時間短縮を図ることができる。
【００６２】
また、このような情報処理装置１００によれば、２回目以降に表示する画像であれば補正前の画像を表示する時間を短縮することができる。これによって情報処理装置１００は、補正による画質向上効果を確実に伝達するとともに、画像確認に要する時間短縮を図ることができる。そして、これによって情報処理装置１００の利用者は、補正による画質向上効果を確実に実感するとともに、補正後の画像確認作業を効率よくおこなうことができる。
【００６３】
なお、上述した図４に示した処理手順においては、高精細液晶ディスプレイ１０４に画像を表示することを想定して、画像データを補正するようにしたが、これにかぎるものではない。たとえばプリンタなどを介して、紙などの記録媒体上に画像をプリント出力することを想定して、画像データを補正するようにしてもよい。すなわち、たとえば、表示装置とプリンタとのように、最終的な画像の出力形態に応じて、各出力形態に適した補正をおこなうようにしてもよい。
【００６４】
具体的には、たとえば、画像処理条件を規定する画像処理制御情報を、接続されている画像出力装置に応じた修正情報を用いて修正し、修正された画像処理制御情報を用いて画像処理を施すことで補正をおこなうようにしてもよい（たとえば、特開２００５−１６７９２９号公報を参照。）。
【００６５】
このような情報処理装置１００によれば、最終的な画像の出力形態に拘わらず、最終的な出力結果において高画質になるように補正することで、補正前の画像と補正後の最終的な出力結果としての画像との差異を一層明確化することができる。これによって情報処理装置１００は、特定のプリンタからの出力結果が最終的な出力結果として要求されている場合に、最終的な出力結果における、補正による画質向上効果を確実に伝達することができる。そして、これによって情報処理装置１００の利用者は、特定のプリンタからの出力結果を最終的な出力結果として要求している場合に、補正による画質向上効果を確実に実感することができる。
【００６６】
また、紙などの記録媒体上に画像をプリント出力することを想定して、画像データを補正する場合、上述したカラーバランス補正をおこなった画像に対して、情報処理装置１００に接続されているプリンタのプロファイルにしたがって、カラーマネージメントをおこなう。この場合のカラーマネージメントとは、上述した高精細液晶ディスプレイ１０４に対するカラーマネージメントと同様であり、カラーバランス補正をおこなった画像が、情報処理装置１００に接続されているプリンタからプリント出力された状態おいてカラーバランスが良好な画像となるように、当該プリンタが備えるインクを用いて再現可能な色空間にしたがって、カラーバランス補正をおこなった画像に対しておこなう画像処理である。
【００６７】
このように、情報処理装置１００に接続されているプリンタが備えるインクを用いて再現可能な色空間を使用したカラーマネージメントをおこなうことで、情報処理装置１００に接続されているプリンタにおいて実際にプリントできない色域は再現しないようにできる。
【００６８】
なお、紙などの記録媒体上に画像をプリント出力するプリンタを複数機種想定する場合、各プリンタのプロファイルを想定した機種数分備えることで、情報処理装置１００に接続するプリンタに応じて、各プリンタのケーパビリティに適した補正値にしたがって、最終的な出力結果において高画質になるように補正することができる。
【００６９】
以上説明したように、情報処理装置１００によれば、補正による画質向上効果を確実に伝達することができる。そして、これによって情報処理装置１００の利用者は、補正による画質向上効果を確実に実感することができる。
【図面の簡単な説明】
【００７０】
【図１−１】この実施の形態にかかる情報処理装置の外観図（その１）。
【図１−２】この実施の形態にかかる情報処理装置の外観図（その２）。
【図２】この実施の形態にかかる情報処理装置のハードウエア構成図。
【図３】この実施の形態にかかる情報処理装置の機能的構成を示すブロック図。
【図４】情報処理装置の処理手順を示すフローチャート。
【図５】情報処理装置における表示画面の一例を示す説明図。
【符号の説明】
【００７１】
１００  情報処理装置、３０１  記憶装置、３０２  指示受付部、３０３  取得部、３０４  補正部、３０５  記憶部、３０６  表示制御部、３０７  表示画面
【図１−１】
2008077568.tif 000003
【図１−２】
2008077568.tif 000004
【図２】
2008077568.tif 000005
【図３】
2008077568.tif 000006
【図４】
2008077568.tif 000007
【図５】
2008077568.tif 000008